(57)【要約】【課題】この発明は、構成簡易にして、運搬を含む設置作業の簡便化を図り得、且つ、外部からの雨や埃の侵入防止と共に、太陽光の直接的な照射防止を実現し得るようにすることにある。【解決手段】機器筐体１０の外壁に間隙を有して被着される日除け部材１３における機器筐体１０の両側壁に対設された両被着面に対して、該機器筐体１０の異なる姿勢でそれぞれ把持可能な一対の開口部１５を分離させて設け、この開口部１５の把持形態を代えて機器筐体１０を異なる姿勢で運搬可能に構成したものである。【選択図】図２
2010171186.tif 000002
【特許請求の範囲】
【請求項１】
屋外に設置される機器筐体と、
この機器筐体の外壁に間隙を有して被着するものであって、前記機器筐体の対向する両壁に被着された両被着面に分離され、且つ、該機器筐体を異なる把持形態で把持可能な少なくとも一対の開口部が設けられた日除け部材と、
を具備することを特徴とする屋外機器。
【請求項２】
前記日除け部材の開口部は、周囲が固定部材により前記機器筐体に位置決め固定されることを特徴とする請求項１記載の屋外機器。
【請求項３】
前記日除け部材の開口部の周囲は、板厚が他の部位に比して厚く形成されることを特徴とする請求項１又は２記載の屋外機器。
【請求項４】
前記日除け部材の開口部の周囲には、板材が積重されることを特徴とする請求項３記載の屋外機器。
【請求項５】
前記日除け部材の開口部の周囲における該日除け部材の内壁と前記機器筐体の外壁との間に指進入規制壁が設けられることを特徴とする請求項１乃至４のいずれか記載の屋外機器。
【請求項６】
前記指進入規制壁は、前記日除け部材に固定されて設けられることを特徴とする請求項５記載の屋外機器。
【請求項７】
前記日除け部材の開口部は、多角形形状に形成されることを特徴とする請求項１乃至６のいずれか記載の屋外機器。
【発明の詳細な説明】
【技術分野】
【０００１】
この発明は、例えば屋外基地局を構成する通信機器を含む電子機器に係り、特に、その屋外に設置して使用に供される屋外機器に関する。
【背景技術】
【０００２】
一般に、この種の屋外機器においては、複数の電子回路ユニットを機器筐体に収容して、この機器筐体の外壁にいわゆる日除け部材が被着されて建屋の屋上等に支柱を介して設置されると共に、外部機器と配線接続されて所望の電子システムが構築される。このようにして、屋外機器は、日除け部材により、機器筐体が直接的に風雨にさらされることがないように屋外に設置され、雨などの侵入の防止と共に、太陽光の直接的な照射防止対策が施されて使用に供される。
【０００３】
ところで、このような屋外機器を含む電子機器にあっては、比較的大きな質量を有するものの場合、その設置場所への運搬や、設置作業時の取扱い性を考慮して、運搬用の把持構造が備えられている。
【０００４】
この把持構造としては、筐体の側壁面に指を挿入する把手用の貫通孔を形成して、この貫通孔の内面側に指の侵入を規制する凹形状のカバー部材を設け、筐体の周壁に突出した把持部を設けることなく、容易な運搬を可能とした構成のものが提案されている（例えば、特許文献１参照。）。
【先行技術文献】
【特許文献】
【０００５】
【特許文献１】特開２００８−１２５５９２号公報
【発明の概要】
【発明が解決しようとする課題】
【０００６】
しかしながら、上記特許文献１に開示される把持構造では、風雨にさらされるうえ、太陽光が直接的に照射される屋外機器に適用すると、雨、埃等が貫通孔を通って筐体内に侵入する虞を有する。
【０００７】
また、これによると、筐体に対して太陽光の照射を遮るための日除け構造を備えなければならないため、筐体設置後、日除け部材を筐体に取付けるように構成したり、あるいは、逆に、予め日除け部材を、筐体に取付けるように構成しなければことで、その設置作業が面倒となるという問題を有する。
【０００８】
この発明は、上記の事情に鑑みてなされたもので、構成簡易にして、運搬を含む設置作業の簡便化を図り得、且つ、外部からの雨や埃の侵入防止と共に、太陽光の直接的な照射防止を実現し得るようにした屋外機器を提供することを目的とする。
【課題を解決するための手段】
【０００９】
この発明は、屋外に設置される機器筐体と、この機器筐体の外壁に間隙を有して被着するものであって、前記機器筐体の対向する両壁に被着された両被着面に分離され、且つ、該機器筐体を異なる把持形態で把持可能な少なくとも一対の開口部が設けられた日除け部材とを備えて屋外機器を構成した。
【００１０】
上記構成によれば、運搬時には、機器筐体に被着された日除け部材の両被着面に設けた一対の開口部に手を挿入して運搬作業に適した把持形態で把持して機器筐体を持ち上げ、運搬作業が行われ、設置作業時には、設置作業に適した把持形態を代えて持ち上げて作業が行われる。これにより、無理な作業姿勢を採ることなく、しかも、設置後に日除け部材を機器筐体に取付けたりする作業を行うことなく、機器筐体の運搬から設置作業を行うことが可能となり、簡便にして容易な設置作業が実現される。
【００１１】
また、これによれば、機器筐体に開口を設けなくてよいため、外部から機器筐体内への雨や埃の侵入防止が実現され、しかも、機器筐体に被着されている日除け部材により、太陽光の直接的な照射防止が実現される。
【発明の効果】
【００１２】
以上述べたように、この発明によれば、構成簡易にして、運搬を含む設置作業の簡便化を図り得、且つ、外部からの雨や埃の侵入防止と共に、太陽光の直接的な照射防止を実現し得るようにした屋外機器を提供することができる。
【図面の簡単な説明】
【００１３】
【図１】この発明の一実施の形態に係る屋外機器を上面側から見た状態を示した平面図である。
【図２】図１を開口部側から見た状態を示した平面図である。
【図３】図１を外部接続部側から見た状態を示した平面図である。
【図４】図２のＡ−Ａを断面して示した断面図である。
【図５】機器設置時における把持形態を示した平面図である。
【図６】機器運搬時における把持形態を示した平面図である。
【図７】この発明の他の実施の形態に係る屋外機器を開口部側から見た状態を示した平面図である。
【図８】図７のＢ−Ｂを断面して示した断面図である。
【図９】この発明の他の実施の形態に係る屋外機器を開口部側から見た状態を示した平面図である。
【図１０】図９の機器設置時の把持形態を示した要部平面図である。
【図１１】この発明の他の実施の形態に係る屋外機器の開口部の配置構成を説明するために示した断面図である。
【図１２】図１１の要部を拡大して示した断面図である。
【発明を実施するための形態】
【００１４】
以下、この発明の実施の形態について、図面を参照して詳細に説明する。
【００１５】
図１乃至図３は、この発明の一実施の形態に係る屋外機器の外観構成を示すもので、図１は、設置状態を上面側から見た状態を示し、図２は、設置状態を側壁の一方側から見た状態を示し、図３は、設置状態を外部接続側から見た状態を示す。
【００１６】
即ち、機器筐体１０は、例えば箱状に形成され、図示しない電子ユニットが収容されて所望の通信システム等の電子システムが構築される。そして、この機器筐体１０には、例えばその底面に設置部１１が設けられ、その側壁の一面に外部接続部であるアンテナ接続部１２が突設される。
【００１７】
また、機器筐体１０には、例えば底面及び側壁のうち一面を除いた周壁に太陽光遮蔽用の日除け部材１３が固定部材１４を用いて所定の間隙を有して被着される。この日除け部材１３は、例えば金属材料で形成され、雨、風等が機器筐体１０に直接的に吹付けられるのを阻止すると共に、太陽光が直接的に機器筐体１０に照射するのを遮る。
【００１８】
そして、この日除け部材１３には、その機器筐体１０の両側壁に対向する両被着面に、例えば四辺形状の一対の把持用開口部１５が分離されて設けられる。この日除け部材１３の開口部１５は、その周囲部が固定部材１４を用いて機器筐体１０に固定される（図２、図４参照）。
【００１９】
この日除け部材１３の開口部１５は、機器筐体１０の設置部１１を下に向けた運搬姿勢に設定して、この状態で運搬する人の手を入れて、その周囲部における持ち上げるのに都合のよい部位を掴んで持ち上げることで、機器筐体１０を運搬するのに供される（図６参照。但し、図６中では、図の都合上、開口部を図示せず）。
【００２０】
また、日除け部材１３の開口部１５は、器筐体１０の側壁のアンテナ接続部１２を下に向けた機器筐体１０の設置姿勢で設置する人が、その手を入れて、周囲部における持ち上げるのに都合のよい部位を掴んで、その設置姿勢を保った把持形態で、機器筐体１０を所望の位置に設置するのに供される（図５参照。但し、図５中では、図の都合上、開口部を図示せず）。
【００２１】
上記構成において、機器筐体１０を、屋外の設置場所に運搬する場合には、機器筐体１０の設置部１１が下に向けられ、この設置部１１を下に向けた状態で、作業者が、日除け部材１３の開口部１５にそれぞれ手を入れて、その周囲部における持ち上げ易い部位を掴んで持ち上げる（図６参照）。この姿勢を保った形態で、機器筐体１０は、設置場所まで運搬される。
【００２２】
続いて、機器筐体１０を設置する場合には、そのアンテナ接続部１２を下に向けれられて、再び、作業者が日除け部材１３の一対の開口部１５にそれぞれ手を入れて、周囲部における持ち上げ易い部位を掴んで持ち上げる（図５参照）。そして、この設置姿勢を保った形態で、機器筐体１０は、その設置部１１が上記支柱等の取付面（図示せず）における位置調整が行われて、例えばボルト等を用いて所望に位置に位置決め固定される。
【００２３】
その後、機器筐体１０は、そのアンテナ接続部１２に図示しないアンテナケーブルが配線接続されて設置作業が完了される。ここで、機器筐体１０は、日除け部材１３が周囲に覆われて、該日除け部材１３により、雨，埃の侵入が防止されると共に、太陽光の直接的な照射が遮られた状態で、所望の設置場所に設置される。
【００２４】
また、機器筐体１０を、例えば二人で分担して運搬から設置まで行うような場合には、二人で日除け部材１３の一対の開口部１５の一方を、分担して掴んで持ち上げることで、同様に運搬から設置作業までを行うこともできる。
【００２５】
このように、上記屋外機器は、機器筐体１０の外壁に間隙を有して被着される日除け部材１３における機器筐体１０の両側壁に対設された両被着面に対して、該機器筐体１０の異なる姿勢でそれぞれ把持可能な一対の開口部１５を分離させて設け、この開口部１５の把持形態を代えて機器筐体１０を異なる姿勢で運搬可能に構成した。
【００２６】
これによれば、運搬時には、機器筐体１０に被着された日除け部材１３の両被着面に設けた一対の開口部１５に手を挿入して運搬作業に適した把持形態で把持して、機器筐体１０を持ち上げて運搬作業を行い、設置作業時には、設置作業に適した把持形態に代えて機器筐体１０を持ち上げて作業を行うことが可能となる。これにより、無理な作業姿勢を採ることなく、しかも、設置後に日除け部材１３を機器筐体１０に取付けたりする作業を行うことなく、機器筐体１０の運搬から設置作業を行うことが可能となり、簡便にして容易な設置作業が実現される。
【００２７】
また、これによれば、機器筐体１０に開口を設けなくてよいことにより、外部から機器筐体１０内への雨や埃の侵入防止が実現され、しかも、機器筐体１０に被着されている日除け部材１３による太陽光の直接的な照射防止が実現される。
【００２８】
なお、この発明は、上記実施の形態に限ることなく、その他、図７及び図８、図９及び図１０、図１１及び図１２に示すように構成することも可能で、さらに良好な効果が期待される。但し、この図７及び図８、図９及び図１０、図１１及び図１２に示す各実施の形態の説明では、上記図１乃至図６と同一部分について同一符号を付して、その詳細な説明を省略する。
【００２９】
図７及び図８に示す実施の形態においては、日除け部材１３の開口部１５の周囲に枠状の板材１６を積重して開口部１５の周囲部の板厚をその他の部位に比して厚く形成し、この板材１６と共に、開口部１５の周囲部を上記固定部材１４に取付けられて機器筐体１０に位置決め固定するように構成した。これにより、日除け部材１３の開口部１５を作業者が掴んだ場合、作業者に付与される応力が軽減され、把持性能の向上が図れ、更に作業性の向上を図ることが可能となる。
【００３０】
なお、上記説明では、板材１６を日除け部材１３の外側に配置するように構成したが、これに限ることなく、例えば日除け部材１３の内側に配置して、開口部１５の周囲部の板厚をその他の部位に比して厚く形成するようにしたり、あるいは予め開口部１５の周囲を厚く形成するように構成してもよい。
【００３１】
図９及び図１０に示す実施の形態においては、例えば日除け部材１３の開口部１５の周囲部のうち機器筐体１０のアンテナ接続部１２の配される辺側、及び対向する辺側における日除け部材１３の内壁と機器筐体１０の外壁との間に指進入防止用の指進入規制壁１７を設けるように構成した。この挿入規制壁１７は、例えば機器筐体１０に取付けられて配置される。
【００３２】
これにより、機器筐体１０の設置時、図１０に示すように作業者が手の指を必要以上奥まで挿入することがなくなり、容易に信頼性の高い安定した把持動作を実現することが可能となる。
【００３３】
図１１及び図１２に示す実施の形態においては、周囲に外フランジ部１８１を有した凹状の取付部材１８を、上記日除け部材１３の開口部１５の周囲部と、機器筐体１０との間に介在させて、この取付部材１８の外フランジ部１８１を日除け部材１３の開口部１５の周囲に螺子部材１９を用いて螺着させて配置するように構成した。そして、この取付部材１８の内部には、枠部材２０が内挿される。この枠部材２０は、取付部材１８の深さ寸法を有する一辺と、開口部１５の開口端までの長さ寸法を有し、指進入防止用の指進入規制壁を構成する他辺とが一体形成された断面Ｌ字状の枠状に形成され、その一辺が取付部材１８と溶接等の手法により固定される。
【００３４】
これにより、日除け部材１３は、その開口部１５が取付部材１８により、機器筐体１０に対して堅牢に配置され、しかも、枠部材２０により作業者の手の指の進入が規制されて最適な把持が容易に実現されると共に、機器筐体１０の持ち上げ動作時に付与される応力の軽減が実現される。
【００３５】
また、上記各実施の形態では、日除け部材１３の側壁の両側面に分離させて四辺形形状の一対の開口部１５を設け、複数の把持形態を実現するように構成した場合について説明したが、これに限ることなく、その他、例えば機器筐体１０の寸法形状等に応じて日除け部材１３に設ける開口部１５を、複数対設けるようにして、複数人で把持して運搬・設置作業を可能としたり、あるいは多数の開口部を選択的に使用することで、その把持形態の更なる多様化を図るように構成することも可能である。
【００３６】
そして、開口部１５の形状としては、上記各実施例で説明した四辺形形状に限るものでなく、その他、三角形を含む多角形形状に形成するようにしても、同様に有効な効果が期待される。
【００３７】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００３８】
例えば実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【符号の説明】
【００３９】
１０…機器筐体、１１…設置部、１２…アンテナ接続部、１３…日除け部材、１４…固定部材、１５…開口部、１６…板材、１７…挿入規制壁、１８…取付部材、１８１…外フランジ部、１９…螺子部材、２０…枠部材。
【図１】
2010171186.tif 000003
【図２】
2010171186.tif 000004
【図３】
2010171186.tif 000005
【図４】
2010171186.tif 000006
【図５】
2010171186.tif 000007
【図６】
2010171186.tif 000008
【図７】
2010171186.tif 000009
【図８】
2010171186.tif 000010
【図９】
2010171186.tif 000011
【図１０】
2010171186.tif 000012
【図１１】
2010171186.tif 000013
【図１２】
2010171186.tif 000014